(57)【特許請求の範囲】
【請求項１】
朝・昼・夕等の薬の服用時間帯の表示を有する日付欄に、各服用時間帯に対応する縦長の長円形よりなる係合孔をあけたカレンダー本体と、このカレンダー本体とは別部材にして、フック部と係留片部とが前記係合孔の横幅よりも幅の狭い首部で連続する板状の係合片とよりなり、この係合片は、フック部の横幅および係留片部の横幅がともに係合孔の横幅よりも大であるが、係留片部の横幅は係合孔の縦幅以下であり、薬袋にあけた孔に前記係合片の前記係留片部と首部とを挿通した状態で係留片部がカレンダー本体の係合孔に挿入されてカレンダー本体の裏面に係合して、フック部に薬袋が吊り下げられるように構成し、薬袋を次回の服用時間帯の表示部分の係合孔に吊り下げておき、薬の服用時に薬袋を取り外して薬袋から薬を取り出した後、薬袋をさらに次回の服用時間帯の表示部分の係合孔に吊り下げることにより薬を指定時間帯に忘れずに服用できるようにした薬服用カレンダー。
【請求項２】
朝・昼・夕等の薬の服用時間帯の表示を有する日付欄に、各服用時間帯に対応する円形の係合孔をあけたカレンダー本体と、このカレンダー本体とは別部材にして、若干弾性を有する素材よりなり、フック部と係留片部とが前記係合孔の径よりも幅の狭い首部で連続する板状の係合片とよりなり、この係合片は、フック部の横幅および係留片部の横幅がともに係合孔の径よりも大であるが、係留片部は係合孔に挿入される際に撓められることにより横幅が小となって係合孔を通過し、薬袋にあけた孔に前記係合片の前記係留片部と首部とを挿通した状態で係留片部がカレンダー本体の係合孔に挿入されてカレンダー本体の裏面にて係留片部が適度に弾性復元して裏面に係合して、フック部に薬袋が吊り下げられるように構成し、薬袋を次回の服用時間帯の表示部分の係合孔に吊り下げておき、薬の服用時に薬袋を取り外して薬袋から薬を取り出した後、薬袋をさらに次回の服用時間帯の表示部分における係合孔に吊り下げることにより薬を指定時間帯に忘れずに服用できるようにした薬服用カレンダー。
【発明の詳細な説明】
【０００１】
【発明の属する技術分野】
本発明は病院や薬局等で処方された薬を指定時間帯に忘れずに服用するための薬服用カレンダーに関する。
【０００２】
【薬の服用について】
病院や薬局等で処方された薬は処方通りに服用しなければ十分な治療効果を得られないが、つい飲み忘れてしまうことが往々にしてある。
従来から、日付毎に薬を分けて収納することができるようにした薬箱があり、このような薬箱には日付を表示した多数の引き出しを備えるものや箱の内部を仕切壁で日付毎に区画したものなどがあるが、薬を日付毎に小分けする手間が掛かるし、薬の飲み忘れを防止できるものではない。
【０００３】
【発明の目的】
そこで本発明はカレンダーの日付欄に薬袋を吊り下げることができるようにして薬の飲み忘れを防止できるようにした。
【０００４】
【発明の構成】
上記目的を達成するために、本発明に係る薬服用カレンダーは、朝・昼・夕等の薬の服用時間帯の表示を有する日付欄に、各服用時間帯に対応する縦長の長円形よりなる係合孔をあけたカレンダー本体と、このカレンダー本体とは別部材にして、フック部と係留片部とが前記係合孔の横幅よりも幅の狭い首部で連続する板状の係合片とよりなり、この係合片は、フック部の横幅および係留片部の横幅がともに係合孔の横幅よりも大であるが、係留片部の横幅は係合孔の縦幅以下であり、薬袋にあけた孔に前記係合片の前記係留片部と首部とを挿通した状態で係留片部がカレンダー本体の係合孔に挿入されてカレンダー本体の裏面に係合して、フック部に薬袋が吊り下げられるように構成し、薬袋を次回の服用時間帯の表示部分の係合孔に吊り下げておき、薬の服用時に薬袋を取り外して薬袋から薬を取り出した後、薬袋をさらに次回の服用時間帯の表示部分の係合孔に吊り下げることにより薬を指定時間帯に忘れずに服用できるようにした構成のものとしてある。
【０００５】
また、本発明に係る薬服用カレンダーは、朝・昼・夕等の薬の服用時間帯の表示を有する日付欄に、各服用時間帯に対応する円形の係合孔をあけたカレンダー本体と、このカレンダー本体とは別部材にして、若干弾性を有する素材よりなり、フック部と係留片部とが前記係合孔の径よりも幅の狭い首部で連続する板状の係合片とよりなり、この係合片は、フック部の横幅および係留片部の横幅がともに係合孔の径よりも大であるが、係留片部は係合孔に挿入される際に撓められることにより横幅が小となって係合孔を通過し、薬袋にあけた孔に前記係合片の前記係留片部と首部とを挿通した状態で係留片部がカレンダー本体の係合孔に挿入されてカレンダー本体の裏面にて係留片部が適度に弾性復元して裏面に係合して、フック部に薬袋が吊り下げられるように構成し、薬袋を次回の服用時間帯の表示部分の係合孔に吊り下げておき、薬の服用時に薬袋を取り外して薬袋から薬を取り出した後、薬袋をさらに次回の服用時間帯の表示部分における係合孔に吊り下げることにより薬を指定時間帯に忘れずに服用できるようにした構成のものとしてある。
【０００６】
【０００７】
【実施例】
以下、本発明の実施例を添付図面に基づいて説明する。
本実施例のカレンダーは図１に示されるように１か月の暦を表示した１枚もののカレンダー本体と係合片５とよりなるものとしてあり、各日付欄１、１を枠で区画してあって、それぞれの日付欄内に薬袋２の被係合部３を設けてあり、この被係合部には例えば「朝」・「昼」・「夕」等の服用時間帯の表示を付してあるとともに、各服用時間帯の表示に対応する縦長の長円形の孔よりなる係合孔４を設けてあって、この係合孔へ係合片５によって薬袋２を吊り下げるようにしてある。
【０００８】
係合片５は例えば図２に示されるように略円形状の係留片部６と略二等辺三角形状のフック部７が横幅の狭い首部８で連続する形状の薄手のボール紙や合成樹脂板等の薄板よりなるものとしてあり、上記係留片部６を前記係合孔４に挿通せしめてこの係留片部を係合孔の裏側へ係合せしめ、またフック部７を薬袋２の上端部寄りにあけた孔２ａに係合せしめて薬袋を吊り下げるようになっている。
【０００９】
次ぎに、係合孔４と係合片５の寸法関係について説明する。
係合片５はその係留片部６が係合孔４に挿通されてカレンダーの裏面に係合するので、係留片部６の横幅Ｒを係合孔４の横幅ｒ2よりも大とし、かつ首部８の幅Ｎを係合孔の横幅ｒ2より小とする。また、係留片部６の幅Ｒは係合孔の縦幅ｒ1よりも小とする。
【００１０】
すなわち、係留片部６の横幅Ｒ、係合孔４の横幅ｒ2と縦幅ｒ1および首部８の幅Ｎの関係は、
ｒ1≧Ｒ＞ｒ2＞Ｎ
とする。
【００１１】
また、フック部７の横幅Ｗは薬袋２にあけられた吊り下げ用の孔２ａの径よりも大とし、係留片部６の横幅Ｒは吊り下げ用の孔２ａの径よりも小とする。
【００１２】
次ぎに、上述した構成のカレンダーに薬袋２を取り付ける具体例について説明する。
まず、係合片５をその横幅方向が上下となるようにして係留片部６を薬袋２の上部寄りに前後方向にあけた吊り下げ用の孔２ａに挿通し、さらに係留片部６を係合孔４に通してカレンダーの裏側に臨ませる。
【００１３】
係留片部６が係合孔を通過して首部８が係合孔の位置に来たら、係合片５をその挿通方向まわりに９０度回転させる。
かくすると、係留片部６の横幅Ｒが係合孔４の横幅ｒ2よりも小であるから、係留片部６がカレンダーの裏面に係合し、また、薬袋２は吊り下げ用の孔２ａがフック部７における左右の上縁に係合して安定よろしく吊り下げられる。
商品を取り外す際には、係合片５を再び９０度回転させ、係留片部６の側縁を縦方向にして引き出せばよい。
【００１４】
上述した実施例においては、係合孔を縦長の長円形状としたが、円形の係合孔とする場合もあり、この場合には係合片５を若干弾性を有する素材、例えばボール紙や薄手の合成樹脂材で構成し、係留片部６は係合孔４に挿入される際に撓められることにより横幅が小となって係合孔を通過させられ、カレンダーの裏側にて係留片部が弾性復元力により元の横幅に戻されて係合する。なお、係合片の素材は破れにくい材質のものが好ましい。
【００１５】
また、図１において符号９はメモカードを示し、このメモカードは次回の診察予約日などをメモして該当日の日付欄に吊り下げておけるようにしたものであり、このメモカード９は図４のように前記係合片４と同じく上部に係留片部１０を有し、係留片部とカード本体１１との間に首部１２が形成されており、係合孔４との寸法関係や係合方法は係合片と同じであり、係合片に代えてこのメモカードによって薬袋を吊り下げる場合もある。
【００１６】
上述のように構成した本発明に係るカレンダーの使用方法の一例について説明する。
病院や薬局で受け取った薬袋２を最初の服用時間帯に対応する被係合部の係合孔に吊り下げておき、最初の服用時に係合片５を係合孔４から外して薬袋から１回分の薬を取り出して服用し、薬袋を次回の服用時間帯に対応する被係合部の係合孔に吊り下げておく。例えば図１では次回の服用が６月６日の夕方であることを示している。
【００１７】
上述した実施例においては、病院や薬局で受け取った薬袋２をそのまま吊り下げる場合の使用例について説明したが、薬袋を例えば合成樹脂フィルム製の破れにくい専用のものにする場合もあるし、１回あるいは１日の服用分の薬を小袋に分け、これらの小袋をそれぞれ対応する係合孔の部分に並べて吊り下げるようにする場合もある。
【００１８】
【００１９】
さらに、上述した実施例においては、１枚ものの１か月分のカレンダーの例を挙げたが、１枚の裏表で２か月分のカレンダーとする場合もあり、この場合には係合孔を裏表共用とするので、係合孔をあける位置あるいは暦の印刷位置を適宜調整する必要がある。また、カレンダーの構成を月めくりや日めくりタイプのものとする場合もある。
【００２０】
なお、以上の説明中において薬の服用とは広く薬の投薬・使用を指し、単に飲み薬だけでなく、点眼薬や塗布薬等の外用薬の使用を忘れないようにするために本発明のカレンダーを使用することができるのは当然である。
【００２１】
【本発明の作用、効果】
本発明に係るカレンダーによれば、次に薬を服用すべき時間帯が一目瞭然にわかり、しかも薬をカレンダーに吊り下げておくので、薬が目につきやすく、したがって薬の飲み忘れを防止することができる。
【００２２】
また、構成が簡単で安価に製造することができるので、病院や薬局で投薬指導用としても利用し易いという実用上のメリットもある。
【図面の簡単な説明】
【図１】本発明に係るカレンダーの実施例を示す平面図。
【図２】係合片の平面図。
【図３】係合孔を拡大して示す平面図。
【図４】メモカードの平面図。
【符号の説明】
１  日付欄            ２  薬袋
３  被係合部          ４  係合孔
５  係合片            ６  係留片部
７  フック部          ８  首部
９  メモカード      １０  係留片部
１１  カード本体      １２  首部
【図１】
0003698658.tif 000002
【図２】
0003698658.tif 000003
【図３】
0003698658.tif 000004
【図４】
0003698658.tif 000005